(57)【要約】【課題】相間短絡等の絶縁体破壊を防止することが可能であり、また、絶縁体表面の炎の燃え広がりを防止し消炎が可能な引き込み用ポリエチレン絶縁電線を提供する。【解決手段】引き込み用ポリエチレン絶縁電線としての低圧引き込み電線１１は、ポリエチレンに金属水酸化物を配合し且つ黒色に着色された絶縁体１５を導体１４に被覆してなる第１の電線１２と、黒色に着色されたポリエチレンからなる内層１７とポリエチレンに金属水酸化物及び紫外線吸収剤を配合し且つ黒色以外の色彩に着色された外層１８とで構成される絶縁体１９を導体１６に被覆してなる第２の電線１３と、を撚り合わせてなる。【選択図】図１
2008262881.tif 000002
【特許請求の範囲】
【請求項１】
ポリエチレンに金属水酸化物を配合し且つ黒色に着色された絶縁体を導体に被覆してなる第１の電線と、黒色に着色されたポリエチレンからなる内層とポリエチレンに金属水酸化物及び紫外線吸収剤を配合し且つ黒色以外の色彩に着色された外層とで構成される絶縁体を導体に被覆してなる第２の電線と、を撚り合わせてなる
ことを特徴とする引き込み用ポリエチレン絶縁電線。
【発明の詳細な説明】
【技術分野】
【０００１】
本発明は、引き込み用ポリエチレン絶縁電線に関する。
【背景技術】
【０００２】
複数の電線を撚り合わせてなる低圧引き込み電線は、屋外の電柱から各家の軒先へ電線の引き込みをするものとして知られている。下記特許文献１には三本の電線を撚り合わせてなる低圧引き込み電線の技術が開示されている。
【０００３】
図２において、下記特許文献１の低圧引き込み電線（ＤＶＲ電線）１は、第１の電線２と、二本の第２の電線３とを撚り合わせることによりなっている。三本の電線は、各々表面がポリ塩化ビニル系樹脂からなる絶縁体を有している。各電線について具体的に説明すると、第１の電線２は、ポリ塩化ビニル系樹脂からなる黒色の絶縁体４を導体５に被覆することによりなっている。一方、第２の電線３は、内側にポリ塩化ビニル系樹脂からなる黒色の内層６、外側にポリ塩化ビニル系樹脂からなる色彩の異なる着色外層７とを有する絶縁体８を導体９に被覆することによりなっている。下記特許文献１の低圧引き込み電線１は、三本の電線それぞれを識別することができるようになっている。
【特許文献１】特開２００６−５４０５６号公報  （第４頁、第１−２図）
【発明の開示】
【発明が解決しようとする課題】
【０００４】
ポリ塩化ビニルはハロゲン含有ポリマーであることから、火災の際の燃焼時に、塩化水素等の有害なガスが発生してしまうという問題点を有している。このため、有害なハロゲン化水素ガスの発生がないポリエチレンを絶縁体に適用することが考えられる。しかしながら、絶縁体がポリエチレンであると端末部にてトラッキングが発生した場合には、発火してしまうという問題点を有している。
【０００５】
ポリエチレンを絶縁体に適用する場合の問題点を更に挙げると、ポリエチレンは耐候性が良くないことが知られている。特に電線を撚り合わせる引き込み電線にあっては、長時間の使用により緑や青色の絶縁体が紫外線劣化によって脆くなり、また、薄くなる。そして、最終的には亀裂が生じて相間短絡などによる絶縁体破壊に至り、これが上記の問題点よりも大きなものとなってしまう。
【０００６】
本発明は、上述した事情に鑑みてなされたもので、相間短絡等の絶縁体破壊を防止することが可能であり、また、絶縁体表面の炎の燃え広がりを防止し消炎が可能な引き込み用ポリエチレン絶縁電線を提供することを課題とする。
【課題を解決するための手段】
【０００７】
上記課題を解決するためになされた請求項１記載の本発明の引き込み用ポリエチレン絶縁電線は、ポリエチレンに金属水酸化物を配合し且つ黒色に着色された絶縁体を導体に被覆してなる第１の電線と、黒色に着色されたポリエチレンからなる内層とポリエチレンに金属水酸化物及び紫外線吸収剤を配合し且つ黒色以外の色彩に着色された外層とで構成される絶縁体を導体に被覆してなる第２の電線と、を撚り合わせてなることを特徴としている。
【０００８】
このような特徴を有する本発明によれば、第１の電線及び第２の電線は共に耐候性のある電線となる。従って、紫外線劣化による絶縁体の脆さや薄肉になることが避けられる。これにより、第１の電線及び第２の電線を撚り合わせても相間短絡などによる絶縁体破壊が避けられる。第２の電線は、複数使用の場合、識別可能である。
【０００９】
また、本発明によれば、例えばトラッキングが発生して炎が絶縁体表面を燃え広がろうとしても、ポリエチレンに配合された金属水酸化物に含まれる結晶水が噴出して自己消化を行い、燃焼がし難くなる。
【００１０】
ポリエチレンは、成形性、機械的性質、熱安定性、耐薬品性などが良く、且つ安価な樹脂である。本発明では耐候性も持たせた樹脂である。金属水酸化物は無機難燃剤であり、金属水和物が用いられる。
【００１１】
金属水酸化物としては、水酸化マグネシウム、水酸化アルミニウム、水酸化ジルコニウム、水酸化カルシウム、水酸化バリウムのいずれか一種類、或いは二種類以上の混合物が一例として挙げられる。
【発明の効果】
【００１２】
本発明によれば、相間短絡等の絶縁体破壊を防止することが可能な耐候性を有する引き込み用ポリエチレン絶縁電線を提供することができるという効果を奏する。また、本発明によれば、絶縁体表面の炎の燃え広がりを防止し消炎が可能な難燃性を有する引き込み用ポリエチレン絶縁電線を提供することができるという効果を奏する。
【発明を実施するための最良の形態】
【００１３】
以下、図面を参照しながら説明する。図１は本発明の一実施の形態を示す引き込み用ポリエチレン絶縁電線の端面図である。
【００１４】
図１において、本発明の引き込み用ポリエチレン絶縁電線（ＤＥ電線）は、耐候性及び難燃性を有する低圧引き込み電線１１であって、特に数を限定するものでないが、一本の第１の電線１２と、二本の第２の電線１３とを撚り合わせてなっている。
【００１５】
低圧引き込み電線１１の第１の電線１２は、導体１４と、この導体１４の外周を被覆する絶縁体１５とを備えて構成されている。また、各第２の電線１３は、導体１６と、この導体１６の外周を被覆する、内層１７と外層１８の二層構造となる絶縁体１９とを備えて構成されている。
【００１６】
第１の電線１２及び第２の電線１３は、三本とも同じ所定の直径を有している。導体１４及び１６は、銅又は硬アルミからなっている。
【００１７】
第１の電線１２の絶縁体１５は、金属水酸化物を配合し且つ黒色に着色されたポリエチレンからなっている。第２の電線１３の絶縁体１９における内層１７は、黒色に着色されたポリエチレンからなっている。また、第２の電線１３の絶縁体１９における外層１８は、金属水酸化物及び紫外線吸収剤を配合し且つ黒色以外の色彩に着色されたポリエチレンからなっている。
【００１８】
金属水酸化物は、自己消化作用と絶縁体の機械的特性とに配慮してポリエチレンに対する配合量が設定されている。本形態においては、特に限定するものでないが、ポリエチレン１００重量部に対して金属水酸化物５０〜２００重量部を配合するようになっている。金属水酸化物は、水酸化マグネシウム、水酸化アルミニウム、水酸化ジルコニウム、水酸化カルシウム、水酸化バリウムのいずれか一種類、或いは二種類以上の混合物であるものとする。
【００１９】
ポリエチレンを黒色に着色することに関しては、カーボンブラックを添加することが一例として挙げられる。これにより、耐候性の面から紫外線劣化を避けることができるようになる。第２の電線１３の外層１８に係る紫外線吸収剤の配合は、耐候性に配慮してポリエチレンに対する配合量が設定されている。第２の電線１３は、この外層１８を黒色以外の色彩に着色することによって識別をすることが可能になっている。
【００２０】
上記構成において、低圧引き込み電線１１における第１の電線１２及び第２の電線１３は共に耐候性のある電線となっている。従って、紫外線劣化による絶縁体の不具合を避けることができる。すなわち、第１の電線１２及び第２の電線１３を撚り合わせても相間短絡などによる絶縁体破壊を避けることができる。
【００２１】
低圧引き込み電線１１は、この端末にて例えばトラッキングが発生し炎が絶縁体１５の表面を燃え広がろうとしても、或いは、炎が絶縁体１９の外層１８の表面を燃え広がろうとしても、絶縁体１５、外層１８のポリエチレンに配合された金属水酸化物に含まれる結晶水が噴出して自己消化が行われるようになっている。従って、低圧引き込み電線１１は燃焼し難いものとなっている。また、低圧引き込み電線１１は、塩化水素等の有害なガスの発生がない環境に優しいものとなっている。
【００２２】
以上、本発明によれば、相間短絡等の絶縁体破壊を防止することができるという効果を奏する。また、本発明によれば、絶縁体表面の炎の燃え広がりを防止し消炎することができるという効果を奏する。
【００２３】
その他、本発明は本発明の主旨を変えない範囲で種々変更実施可能なことは勿論である。
【００２４】
一例を挙げるとすると、上記説明では三本の電線を撚り合わせてなる例になっているが、これに限らないものとする。すなわち、第１の電線１２及び第２の電線１３の撚り合わせであれば二本や四本以上で構成したりしても良いものとする。
【図面の簡単な説明】
【００２５】
【図１】本発明の一実施の形態を示す引き込み用ポリエチレン絶縁電線の端面図である。
【図２】従来例の低圧引き込み電線の端面図である。
【符号の説明】
【００２６】
１１  低圧引き込み電線（引き込み用ポリエチレン絶縁電線）
１２  第１の電線
１３  第２の電線
１４  導体
１５  絶縁体
１６  導体
１７  内層
１８  外層
１９  絶縁体
【図１】
2008262881.tif 000003
【図２】
2008262881.tif 000004